(57)【要約】      （修正有）【課題】用途に応じた複数の異なる器具に使用可能なグリル用の桶の構造を提供する。【解決手段】桶体１０、第二網部材１１、案内部材１２、及び第一網部材１３で構成されるグリル用の桶の構造であって、桶体はふた１０１及び握り部１０７を有し、収納部間１０２には複数の第一ストッパー１０３、第二ストッパー１０４、第三ストッパー１０５、及び当接部材１０６が層状に設置され、当接部材が複数の第一ストッパーの何れか１つの一側に設置され、第二網部材が第一ストッパーに、案内部材が第二ストッパーに、及び第一網部材が第三ストッパーに、対応させて重層に跨設され、第一網部材は燻製用部材及びクリップに対応させて設置される。【選択図】図１
0003191474.tif 000002
【実用新案登録請求の範囲】
【請求項１】
桶体、第二網部材、案内部材、及び第一網部材で構成されるグリル用の桶の構造であって、
前記桶体はふた及び握り部を有し、収納部間には複数の第一ストッパー、第二ストッパー、第三ストッパー、及び当接部材が層状に設置され、第二網部材、案内部材、第一網部材は対応させて重層に跨設され、前記第一網部材は燻製用部材及びクリップに対応させて設置され、グリル用の桶の実用性を高めることを特徴とするグリル用の桶の構造。
【請求項２】
前記第一網部材には位置決め部材が設置されることを特徴とする、請求項１に記載のグリル用の桶の構造。
【請求項３】
前記案内部材は直径が異なる第一孔部及び第二孔部を有することを特徴とする、請求項１に記載のグリル用の桶の構造。
【請求項４】
前記燻製用部材はふた、物入れ用部材、層間用部材、干し部材、及び台座を備え、前記ふたは第一ふた及び第二ふたを含み、前記物入れ用部材は容器及び支持用部材からなり、前記層間用部材は載置部材及びラックで構成され、前記干し部材には孔部が設置されることを特徴とする、請求項１に記載のグリル用の桶の構造。
【請求項５】
前記干し部材の孔部のＸ軸はＹ軸より大きいことを特徴とする、請求項４に記載のグリル用の桶の構造。
【請求項６】
前記物入れ用部材は容器及び隔離ラックを更に備え、前記容器は位置決めピンを有し、前記隔離ラックは突起ピンを有する柱体及び網部材からなることを特徴とする、請求項４に記載のグリル用の桶の構造。
【請求項７】
前記クリップは第一焼き網、第二焼き網、及びはさみ部材を備え、前記第一焼き網は第一握り部及び複数の位置決めピンを更に含み、前記第二焼き網は更に第二握り部及びバネ部材で構成されることを特徴とする、請求項１に記載のグリル用の桶の構造。
【請求項８】
前記燻製用部材及びクリップはガスコンロに設置されることを特徴とする、請求項１に記載のグリル用の桶の構造。
【考案の詳細な説明】
【技術分野】
【０００１】
本考案は、多くの器具に使用可能な、より高い実用性を有するグリル用の桶に関する。
【背景技術】
【０００２】
焼き料理は色々な地方で食べられ、個人でも焼き料理をする人は多く、大勢で焼き調理をすれば親交も深まりやすい。
【考案の概要】
【考案が解決しようとする課題】
【０００３】
しかしながら、焼肉をするには焼肉用ロースターが必要であり、鳥のローストにはオーブンが必要であり、つまりは、２種類の異なる食材の焼き調理には２種類の異なる器具が必要になるため、消費者にとっては費用がかさみ、器具の収納も大きな問題であった。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。本考案の主な目的は、上述の問題を解決するために、燻製用部材を組み合わせて使用可能なグリル用の桶の桶体を提供することにある。前記燻製用部材は、ふた、物入れ用部材、層間用部材、及び前記グリル用の桶の第一網部材の一側に設置される台座を備える。
【０００６】
また、本考案のほかの目的はクリップと組み合わせて使用できるグリル用の桶の桶体を提供することにある。前記クリップは第一焼き網、及び前記グリル用の桶の第一網部材の一側に設置される第二焼き網を備える。
【課題を解決するための手段】
【０００７】
上述した課題を解決し、目的を達成するために、本考案に係るグリル用の桶の構造は、桶体、第二網部材、案内部材、及び第一網部材で構成されるグリル用の桶の構造であって、
前記桶体はふた及び握り部を有し、収納部間には複数の第一ストッパー、第二ストッパー、第三ストッパー、及び当接部材が層状に設置され、第二網部材、案内部材、第一網部材は対応させて重層に跨設され、前記第一網部材は燻製用部材及びクリップに対応させて設置され、グリル用の桶の実用性を高めることを特徴とする。
【図面の簡単な説明】
【０００８】
【図１】本考案を説明する傾斜の概略図である。
【図２】本考案を説明する断面模式図である。
【図３】本考案の桶体を説明する断面模式図である。
【図４】本考案の燻製用部材を説明する断面模式図である。
【図５】本考案の燻製用部材の支持用部材及び干し部材を説明する概略図である。
【図６】本考案の燻製用部材の支持用部材及び干し部材を説明する概略図である。
【図７】本考案の燻製用部材の支持用部材及び干し部材を説明する概略図である。
【図８】本考案の燻製用部材の支持用部材及び干し部材を説明する概略図である。
【図９】本考案の燻製用部材を説明する他の実施形態の概略図である。
【図１０】本考案の燻製用部材の隔離ラックを説明する概略図である。
【図１１】本考案の焼き網を説明する断面模式図である。
【図１２】本考案の焼き網を説明する実施形態の概略図である。
【図１３】本考案の焼き網を説明する実施形態の概略図である。
【考案を実施するための形態】
【０００９】
以下に図面を参照して、本考案を実施するための形態について、詳細に説明する。なお、本考案は、以下に説明する実施形態に限定されるものではない。
【実施例】
【００１０】
図１、図２及び図３に示すグリル用の桶１は、桶体１０、第二網部材１１、案内部材１２、及び第一網部材１３で構成される。前記桶体１０は一端が開口し、他端は閉鎖される。開口する端部には握り部１０７が設置され、桶体１０の一側の縦の壁面には開口部１００が形成され、開口部１００の一側はふた１０１に連結され、前記ふた１０１は開口部１００に対応して螺合され、桶体１０内には収納部１０２が形成され、前記収納部１０２の周囲の縦の壁面下から上に３つの第一ストッパー１０３、３つの第二ストッパー１０４、及び３つの第三ストッパー１０５がそれぞれ設置される。前記第一ストッパー１０３には第二網部材１１が跨設され、前記第二ストッパー１０４には案内部材１２が跨設され、前記第三ストッパー１０５には第一網部材１３が跨設される。３つの第一ストッパー１０３の内の何れか１つの一側には当接部材１０６が更に設置され、図２のように重層になり跨設される。
【００１１】
図３に示すように、前記桶体１０の第一ストッパー１０３には第二網部材１１が跨設され、前記第二ストッパー１０４には案内部材１２が跨設され、前記第三ストッパー１０５には第一網部材１３が跨設される。需要に合わせて案内部材１２を取り除き、第二網部材１１を第二ストッパー１０４に跨設させてもよい。
【００１２】
図４に示すのはグリル用の桶１に運用される燻製用部材２であり、前記燻製用部材２は、ふた２０、物入れ用部材２１、層間用部材２２、及び台座２３を備える。前記ふた２０は第一ふた２００及び第二ふた２０１が重層になり組成され、熱の流出を減少させる。前記物入れ用部材２１は容器２１０及び支持用部材２１１により組成され、支持用部材２１１は十字状に相似し、一端には挿入端２１２が形成されて物体を貫装させて掛着させる。前記層間用部材２２はラック２２０及び載置部材２２１で構成され、前記載置部材２２１と皿状に相似する第一載置部材２２２及び第二載置部材２２３とは重層になり、熱を隔絶させる。第二載置部材２２２は物入れ用部材２１に対応して設置され、前記台座２３は鍋状を呈すると共に層間用部材２２及び物入れ用部材２１が設置され、ふた２０が台座２３の一側に対応する。
【００１３】
図５、図６、図７及び図８に示すように、物入れ用部材２１から取り外すため、干し部材２４を使用する。前記干し部材２４は菱形状に相似する孔部２４０を有する。図７及び図８に示すように、前記菱形状に相似する孔部２４０のＸ軸はＹ軸より大きく、挿入端２１２の広い面はＸ軸に対応し、狭い面はＹ軸に対応して干し部材２４の孔部２４０を貫通させ、干し部材２４を回転させて孔部２４０のＹ軸を挿入端２１２の広い面に対応させ、Ｘ軸は挿入端の狭い面に対応させる。これにより、干し部材２４が支持用部材２１に対応し、物入れ用部材の着脱が可能になる。
【００１４】
また、図９及び図１０に示すのは、グリル用の桶１に運用される燻製用部材２の他の燻製用部材２の実施形態の概略図である。前記燻製用部材２はふた２０、物入れ用部材２５、複数の隔離ラック２６、層間用部材２２、及び台座２３を備える。前記物入れ用部材２５は容器２５０及び位置決めピン２５１で構成され、前記位置決めピン２５１は容器２５０の中心に設けられ、位置決めピン２５１は中空状であり、隔離ラック２６に対応し、前記隔離ラック２６は栓体２６０及び網部材２６１に結合される。前記栓体２６０は開口柱体であり、一端の延伸される直径は柱体２６０の突起ピン２６２より小さく、而隔離ラック２６は柱体２６０の突起ピン２６２により物件２５の位置決めピン２５１に対応し、隔離ラック２６には物体が載置され、截置される物体に合わせて隔離ラック２６は重層になり、更に多くの食材を載置させる。   
【００１５】
なお、図１１、図１２及び図１３に示すのは、グリル用の桶１に運用されるクリップ３である。前記クリップ３は第一焼き網３０及び第二焼き網３１で構成される。前記第一焼き網３０及び第二焼き網３１は２つ以上のはさみ部材３２により挟持され、第一焼き網３０及び第二焼き網３１は一辺を中心として回転する。前記第一焼き網３０及び第二焼き網３１の一辺からは短い第一握り部３００及び長い第二握り部３１０が延伸され、第二握り部３１０一端にはバネ部材３１１が設置され、前記第一焼き網３０の第一握り部３００以外の三辺には栓体３０１が各々設けられ、グリル用の桶１の第一網部材１３の位置決め部材１３０の間に対応する。前記第二握り部３１０の一端にはバネ部材３１１が設置され、前記バネ部材３１１は弾性を有して第一握り部３００を挟持させる。
【００１６】
前記クリップ３は前述の各箇所が結合され、前記クリップ３の第一焼き網３０及び第二焼き網３１は矩形或いは円形を呈する。すなわち、異なる形状の第一焼き網３０及び第二焼き網３１により異なる大きさの食材の焼き調理が可能になり、グリル用の桶１には異なる器具が設置されてより多様な食材を調理でき、グリル用の桶１の実用性を高める。当然ながら、前記燻製用部材２は異なるニーズに合わせてグリル用の桶１に設置されるほか、ガスコンロに設置されてもよく、焼き調理の多様性を更に拡げる。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
１      グリル用の桶
１０    桶体
１００  開口部
１０１  ふた
１０２  収納部
１０３  第一ストッパー
１０４  第二ストッパー
１０５  第三ストッパー
１０６  当接部材
１０７  握り部
１１    第二網部材
１２    案内部材
１２０  第一孔部
１２１  第二孔部
１３    位置決め部材
２      燻製用部材
２０    ふた
２００  第一ふた
２０１  第二ふた
２１    物入れ用部材
２１０  容器
２１１  支持用部材
２１２  挿入端
２２    層間用部材
２２０  ラック
２２１  載置部材
２２２  第一載置部材
２２３  第二載置部材
２３    台座
２４    干し部材
２４０  孔部
２５    物入れ用部材
２５０  容器
２５１  位置決めピン
２６    隔離ラック
２６０  柱体
２６１  網部材
２６２  突起ピン
３      クリップ
３０    第一焼き網
３００  第一握り部
３０１  栓体
３１    第二焼き網
３１０  第二握り部
３１１  バネ部材
３２    はさみ部材
【図１】
0003191474.tif 000003
【図２】
0003191474.tif 000004
【図３】
0003191474.tif 000005
【図４】
0003191474.tif 000006
【図５】
0003191474.tif 000007
【図６】
0003191474.tif 000008
【図７】
0003191474.tif 000009
【図８】
0003191474.tif 000010
【図９】
0003191474.tif 000011
【図１０】
0003191474.tif 000012
【図１１】
0003191474.tif 000013
【図１２】
0003191474.tif 000014
【図１３】
0003191474.tif 000015
【手続補正書】
【提出日】平成26年4月17日(2014.4.17)
【手続補正１】
【補正対象書類名】実用新案登録請求の範囲
【補正対象項目名】請求項１
【補正方法】変更
【補正の内容】
【請求項１】
桶体、第二網部材、案内部材、及び第一網部材で構成されるグリル用の桶の構造であって、
前記桶体はふた及び握り部を有し、収納部間には複数の第一ストッパー、第二ストッパー、第三ストッパー、及び当接部材が層状に設置され、前記当接部材が前記複数の第一ストッパーの何れか１つの一側に設置され、前記第二網部材が前記第一ストッパーに、前記案内部材が前記第二ストッパーに、及び前記第一網部材が前記第三ストッパーに、対応させて重層に跨設され、前記第一網部材は燻製用部材及びクリップに対応させて設置され、グリル用の桶の実用性を高めることを特徴とするグリル用の桶の構造。
【手続補正２】
【補正対象書類名】実用新案登録請求の範囲
【補正対象項目名】請求項５
【補正方法】変更
【補正の内容】
【請求項５】
前記干し部材の菱形状の孔部の一方の対角線の長さをＸとし、もう一方の対角線の長さをＹとした時に、対角線の長さＸは対角線の長さＹより大きいことを特徴とする、請求項４に記載のグリル用の桶の構造。
【手続補正３】
【補正対象書類名】明細書
【補正対象項目名】００１３
【補正方法】変更
【補正の内容】
【００１３】
図５、図６、図７及び図８に示すように、物入れ用部材２１から取り外すため、干し部材２４を使用する。前記干し部材２４は菱形状に相似する孔部２４０を有する。図７及び図８に示すように、前記菱形状に相似する孔部２４０の一方の対角線の長さをＸとし、もう一方の対角線の長さをＹとした時に、一方の対角線の長さＸはもう一方の対角線の長さＹより大きく、挿入端２１２の広い面は対角線の長さＸに対応し、狭い面は対角線の長さＹに対応して干し部材２４の孔部２４０を貫通させ、干し部材２４を回転させて孔部２４０の対角線の長さＹを挿入端２１２の広い面に対応させ、対角線の長さＸは挿入端の狭い面に対応させる。これにより、干し部材２４が支持用部材２１に対応し、物入れ用部材の着脱が可能になる。